(57)【要約】【課題】  乗りかごの側板を取り替えることなく、既設の操作パネルと大きさの異なる操作パネルを容易かつ簡単に取り付けることができる操作盤を提供する。【解決手段】  操作盤は、隣り合う２つ以上の面で構成されたエレベータの乗りかご１内に設置されている。操作盤は、隣り合う２側面に各々設けられた第一の操作パネル側板８ａ及び第二の操作パネル側板８ｂと、この第一の操作パネル側板８ａ及び第二の操作パネル側板８ｂに固定された操作パネル７とを備えている。この操作パネル７は、隣り合う２側面１ａ、１ｂの各々に対して傾斜している。【選択図】  図１
2007062902.tif 000002
【特許請求の範囲】
【請求項１】
隣り合う２つ以上の面で構成されたエレベータの乗りかご内に設置される操作盤において、
隣り合う２側面に各々固定された第一の操作パネル側板及び第二の操作パネル側板と、
第一の操作パネル側板及び第二の操作パネル側板に固定された操作パネルとを備え、
操作パネルは隣り合う２側面の各々に対して傾斜していることを特徴とする操作盤。
【請求項２】
第一の操作パネル側板及び第二の操作パネル側板は、各々タッピングビスを用いて乗りかごの２側面に固定されることを特徴とする請求項１記載の操作盤。
【請求項３】
隣り合う２側面と操作パネルの裏面との間に空間が形成され、この空間内に収納容器を設置したことを特徴とする請求項１記載の操作盤。
【請求項４】
隣り合う２つ以上の面で構成されたエレベータの乗りかごの隣り合う２側面からなる隅部近傍に設けられた係合板であって、各々に複数の係合段部が設けられた２側縁を有する取付穴の形成された係合板に設置される操作盤において、
各々が取付穴の係合段部と係合する係合突起を有する一対のブラケットと、
一対のブラケットに固定される操作パネルとを備え、
一対のブラケットは、一方の高さが他方の高さより高くなっており、これによって操作パネルは、隣り合う２側面の各々に対して傾斜していることを特徴とする操作盤。
【請求項５】
操作パネルの両側面は、対応するエレベータの乗りかご側面に、各々操作パネル側板を介して連結されていることを特徴とする請求項４記載の操作盤。
【請求項６】
係合板と操作パネルの裏面との間に空間が形成され、この空間内に収納容器を設置したことを特徴とする請求項４記載の操作盤。
【発明の詳細な説明】
【技術分野】
【０００１】
本発明は、エレベータの乗りかご内に設置される操作盤に係わり、とりわけ種々の形状の操作パネルを容易に取り付けることができる操作盤に関する。
【背景技術】
【０００２】
まず、図１１及び図１２により、従来技術について説明する。図１１及び図１２に示すように、エレベータのリニューアル工事を行う際、三方枠、乗り場押しボタン、階床表示灯、乗りかご１内に設置されている操作パネル７、乗りかご１の側面側板１ａ、巾木４上に設けられた正面側板１ｂなど、普段エレベータの利用者が直接触れる部分の取り替え工事がしばしば行われる。この中でも、乗りかご１内に設置されている操作パネル７の取り替え工事は、必ず行われる。なお、図１１において、操作パネル７は配線６に接続されており、この配線６は配線通し穴５を通って電源等（図示せず）に接続されている。
【０００３】
従来から、図１１及び図１２に示すように、操作パネル７を乗りかご１内に固定する際、乗りかご１の正面側板１ｂに設けられた取付穴１１にボルト、板バネ等によって固定したり、乗りかご１の正面側板１ｂに設けられた取付穴１１側面の切欠き等の係合段部２１に固定する方法が知られている（図１１、図１２参照）。乗りかご１の操作パネル７をリニューアル工事で交換する際には、新規に取り付ける新設操作パネル７と既設の操作パネル７とで寸法の差異や取付方法の差異があるため、新設操作パネル７を取り付ける乗りかご１の正面側板１ｂも同時に交換している。
【発明の開示】
【発明が解決しようとする課題】
【０００４】
しかしながら、この方法では既設操作パネル７の撤去、乗りかご１の既設正面側板１ｂの撤去、乗りかご１の既設出入口柱２の撤去、乗りかご１の新設正面側板１ｂの取付、乗りかご１の出入口柱２の再取付、新設操作パネル７の取付、といった工程が必要であり、乗りかご１を一部解体する必要がある。また、乗りかご１を解体する際、再使用する部品を傷つけることがある。さらに、再使用する部品を保管しておく場所を確保することが困難であった。
【０００５】
本発明は、このような点を考慮してなされたものであり、乗りかごの側板を取り替えることなく既設の操作パネルと大きさの異なる操作パネルを容易かつ簡易に取り付けることができる操作盤を提供することを目的とする。
【課題を解決するための手段】
【０００６】
本発明は、隣り合う２つ以上の面で構成されたエレベータの乗りかご内に設置される操作盤において、隣り合う２側面に各々固定された第一の操作パネル側板及び第二の操作パネル側板と、第一の操作パネル側板及び第二の操作パネル側板に固定された操作パネルとを備え、操作パネルは隣り合う２側面の各々に対して傾斜していることを特徴とする操作盤である。
【０００７】
本発明は、第一の操作パネル側板及び第二の操作パネル側板は、各々タッピングビスを用いて乗りかごの２側面に固定されることを特徴とする操作盤である。
【０００８】
本発明は、隣り合う２側面と操作パネルの裏面との間に空間が形成され、この空間内に収納容器を設置したことを特徴とする操作盤である。
【０００９】
本発明は、隣り合う２つ以上の面で構成されたエレベータの乗りかごの隣り合う２側面からなる隅部近傍に設けられた係合板であって、各々に複数の係合段部が設けられた２側縁を有する取付穴の形成された係合板に設置される操作盤において、各々が取付穴の係合段部と係合する係合突起を有する一対のブラケットと、一対のブラケットに固定される操作パネルとを備え、一対のブラケットは、一方の高さが他方の高さより高くなっており、これによって操作パネルは、隣り合う２側面の各々に対して傾斜していることを特徴とする操作盤である。
【００１０】
本発明は、操作パネルの両側面は、対応するエレベータの乗りかご側面に、各々操作パネル側板を介して連結されていることを特徴とする操作盤である。
【００１１】
本発明は、係合板と操作パネルの裏面との間に空間が形成され、この空間内に収納容器を設置したことを特徴とする操作盤である。
【発明の効果】
【００１２】
本発明の操作盤によれば、乗りかごの側板を取り替えることなく既設の操作パネルと大きさの異なる操作パネルを容易かつ簡易に取り付けることができる。
【発明を実施するための最良の形態】
【００１３】
第１の実施の形態
以下、本発明に係る操作盤の実施の形態について、図面を参照して説明する。ここで、図１乃至図４は本発明の第１の実施の形態を示す図である。
【００１４】
まず、図１乃至図４により、エレベータの乗りかご１内に設置されている操作盤の概略について述べる。操作盤は、操作パネル７を備えており、乗りかご１の内装をリニューアルする際には、既設の操作パネル７は新しい操作パネル７に取り替えられる。
【００１５】
図１乃至図４に示すように、本実施の形態の操作盤は、隣り合う２つ以上の面で構成されたエレベータの乗りかご１内に設置されるものである。図１において、エレベータの乗りかご１の隣り合う２側面が示されており、このうち一方の側面は側面側板１ａとなり、他方の側面は正面側板１ｂと、この正面側板１ｂに連結された出入口柱２とを有している。
【００１６】
ここで、操作盤は、乗りかご１の側面側板１ａにボルト１０ａ及びナット１３を用いて固定される第一のブラケット９ａと、乗りかご１の正面側板１ｂにボルト１０ａ及びナット１３を用いて固定される第二のブラケット９ｂと、第一のブラケット９ａにスタッドボルト１０ｂ及びナット１３を用いて固定される第一の操作パネル側板８ａと、第二のブラケット９ｂにスタッドボルト１０ｂ及びナット１３を用いて固定される第二の操作パネル側板８ｂと、第一の操作パネル側板８ａ及び第二の操作パネル側板８ｂに固定された操作パネル７とを備えている。
【００１７】
なお、操作パネル７は配線６に接続されており、この配線６は配線通し穴５を通って電源等（図示せず）に接続されている。また、図３（ａ）乃至（ｃ）に示すように、第一のブラケット９ａ及び第二のブラケット９ｂには、ほぼ等間隔に並んだ、複数の穴１２及び複数のスタッドボルト１０ｂが設けられている。また、乗りかご１の正面側板１ｂには、既設の操作パネル７が設置されていた取付穴１１が形成されている。
【００１８】
ここで、図４により、操作パネル７と、第一の操作パネル側板８ａ及び第二の操作パネル側板８ｂとの装着構造について述べる。
【００１９】
図４に示すように、操作パネル７の両側面には固定用クリップ１５が取り付けられ、他方、第一の操作パネル側板８ａ及び第二の操作パネル側板８ｂの側面には固定用クリップ１５内に係合される固定用ピン１６が取り付けられている。そして、操作パネル７の両側面に設けられた一対の固定用クリップ１５と、第一の操作パネル側板８ａの固定用ピン１６及び第二の操作パネル側板８ｂの固定用ピン１６とを各々係合させることにより、操作パネル７を第一の操作パネル側板８ａ及び第二の操作パネル側板８ｂに装着して固定することができる。このとき、図１に示すように、操作パネル７は乗りかご１の側面側板１ａと乗りかご１の正面側板１ｂの各々に対して傾斜して設けられている。
【００２０】
次に、このような構成からなる本実施の形態の作用について述べる。
【００２１】
本実施の形態の操作盤を、エレベータの乗りかご１の側面側板１ａ及び正面側板１ｂに設置する方法を図１乃至４を用いて説明する。乗りかご１の側面側板１ａ及び正面側板１ｂには穴あけ加工が施されて、予め側面側板１ａ及び正面側板１ｂに穴があけられている。まず、図１に示すように、第一のブラケット９ａに予め形成された穴１２と、乗りかご１の側面側板１ａに穴あけ加工で形成された穴とに、ボルト１０ａが挿入され、このボルト１０ａにナット１３が嵌合されて、第一のブラケット９ａが乗りかご１の側面側板１ａに固定される。同様に、第二のブラケット９ｂに予め形成された穴１２と、乗りかご１の正面側板１ｂに穴あけ加工で形成された穴とに、ボルト１０ａが挿入され、このボルト１０ａにナット１３が嵌合されて、第二のブラケット９ｂが乗りかご１の正面側板１ｂに固定される。
【００２２】
次に、図１に示すように、第一の操作盤パネル側板８ａに予め設けられたスタッドボルト１０ｂを、第一のブラケット９ａに予め設けられた穴に通し、当該スタッドボルト１０ｂにナット１３が嵌合されることにより第一の操作盤パネル側板８ａが第一のブラケット９ａに固定される。同様に、第二の操作盤パネル側板８ｂに予め設けられたスタッドボルト１０ｂを、第二のブラケット９ｂに予め設けられた穴に通し、当該スタッドボルト１０ｂがナット１３で嵌合されることにより、第二の操作盤パネル側板８ｂが第二のブラケット９ｂに固定される。
【００２３】
次に、図４に示すように、第一のブラケット９ａ及び第二のブラケット９ｂに予め設けられた各々の固定用ピン１６を、操作パネル７の一対の固定用クリップ１５内に挿着することにより、操作パネル７を第一のブラケット９ａ及び第二のブラケット９ｂに装着して固定する。
【００２４】
上記方法によって乗りかご１の側面側板１ａ及び正面側板１ｂに設置される操作盤において、図１に示すように、乗りかご１の側面側板１ａ及び正面側板１ｂに穴あけ加工によって形成される穴の位置を調整することにより、側面側板１ａに設置する第一のブラケット９ａの位置及び正面側板１ｂに設置する第二のブラケット９ｂの位置を自由に変えることができる。このことにより、第一の操作パネル側板８ａが乗りかご１の側面側板１ａに接する箇所から第二の操作パネル側板８ｂが乗りかご１の正面側板１ｂに接する箇所までの距離ｄ１を、自由に変えることができる。このため、操作パネル７を装着して固定する第一の操作パネル側板８ａと第二の操作パネル側板８ｂとの間の距離Ｄ１を自由に変えることができる。
【００２５】
また、図１に示すように、乗りかご１の側面側板１ａに固定される第一の操作パネル側板８ａと乗りかご１の正面側板１ｂに固定される第二の操作パネル側板８ｂとを適宜選定することによって、第一の操作パネル側板８ａ及び第二の操作パネル側板８ｂの幅を自由に変えることができる。従って、このことによっても、第一の操作パネル側板８ａと第二の操作パネル側板８ｂとの間の距離Ｄ１を自由に変えることができる。
【００２６】
本実施の形態によると、以上のような方法により、操作パネル７の配置される第一の操作パネル側板８ａと第二の操作パネル側板８ｂとの間の距離Ｄ１を自由に変えることができるので、既設の操作パネル７の幅と異なる幅を有する操作パネル７を新たに設置する場合であっても、正面側板１ｂを取り替えることなく操作パネル７を取り替えることができる。
【００２７】
また、図４に示すように、操作パネル７に設けられた一対の固定用クリップ１５を、第一の操作パネル側板８ａ及び第二の操作パネル側板８ｂの各々の固定用ピン１６に挿着することによって、第一の操作パネル側板８ａ及び第二の操作パネル側板８ｂに操作パネル７が装着して固定される。このため、操作パネル７を第一の操作パネル側板８ａ及び第二の操作パネル側板８ｂの間に押し込んだり、その間から引っ張ったりするだけで、操作パネル７を第一の操作パネル側板８ａ及び第二の操作パネル側板８ｂから容易に脱着することができる。なお、操作パネル７を取り外す際には、吸盤又は磁石を用いて操作パネル７を吸着して引っ張るだけで操作パネル７を容易に取り外すことができる。また、操作パネル７には突起部が設けられていないので、いたずらにより突起部を用いて操作パネル７が取り外されることはない。
【００２８】
また、図１に示すように、操作パネル７が乗りかご１の側面側板１ａと乗りかご１の正面側板１ｂの各々に対して傾斜して設けられているので、乗りかご１内の様々な位置に乗っている利用者にとって操作パネルを見やすくすることができると共に、操作パネルを操作しやすくすることができる。
【００２９】
また、図１に示すように、乗りかご１の側面側板１ａ及び乗りかご１の正面側板１ｂと操作パネル７の裏面との間に空間が形成されている。このため、この空間を利用することによって、例えば操作パネル側板８ａのスタッドボルト１０ｂにナット１３を嵌合させる等の操作盤の取り替え作業を容易に行うことができる。
【００３０】
また、図１に示すように、第一の操作パネル側板８ａは、第一のブラケット９ａを介して乗りかご１の側面側板１ａに設置されており、第二の操作パネル側板８ｂは、第二のブラケット９ｂを介して乗りかご１の正面側板１ｂに設置されている。このため、第一のブラケット９ａの乗りかご１の側面側板１ａに対する折れ曲がり角度α及び第二のブラケット９ｂの乗りかご１の正面側板１ｂに対する折れ曲がり角度βを調整するだけで、乗りかご１の側面側板１ａと乗りかご１の正面側板１ｂの各々に対する操作パネル７の設置角度を変えることができる。このため、操作パネル７の乗りかご１の側面側板１ｂ及び正面側板１ａに対する傾きを容易に変えることができる。
【００３１】
なお、乗りかご１の側面側板１ａ及び乗りかご１の正面側板１ｂと操作パネル７の裏面との間に形成された空間内に収納容器を設置してもよい。このことにより、操作パネル７を乗りかご１の側面側板１ａと乗りかご１の正面側板１ｂの各々に対して傾斜させたことによって発生する空間を、操作パネル７の基板や操作パネル７に接続する配線６を収納する空間として有効に利用することができる。
【００３２】
なお、操作パネル７には、乗りかご１の床面から天井面に至るまでの高さを有するフルハイトタイプを用いることが好ましい。このことにより、既設の操作パネル７の高さと新設する操作パネル７の高さの差異を考慮する必要がなくなる。このため、操作パネル７をより容易に取り替えることができる。
【００３３】
第２の実施の形態
次に図５により本発明の第２の実施の形態について説明する。図５に示す第２の実施の形態は、第一のブラケット９ａを乗りかご１の側面側板１ａに固定させるボルト１０ａ及びナット１３と第二のブラケット９ｂを乗りかご１の正面側板１ｂに固定させるボルト１０ａ及びナット１３の代わりに、それぞれタッピングビス１０ｃを用いたものであり、他は図１乃至図４に示す第１の実施の形態と略同一である。
【００３４】
図５に示す第２の実施の形態において、図１乃至図４に示す第１の実施の形態と同一部分には同一符号を付して詳細な説明は省略する。
【００３５】
図５に示すように、第一のブラケット９ａ及び第二のブラケット９ｂを各々、乗りかご１の側面側板１ａ及び乗りかご１の正面側板１ｂに固定させる際、タッピングビス１０ｃを用いることができ、これにより、操作盤を乗りかご１の側面側板１ａ及び正面側板１ｂに固定する際、昇降路側から作業する必要がなく、乗りかご１内から作業することができる。このため、第一のブラケット９ａ及び第二のブラケット９ｂを、各々乗りかご１の側面側板１ａ及び正面側板１ｂに容易かつ安全に固定することができる。
【００３６】
第３の実施の形態
次に図６及び図７により本発明の第３の実施の形態について説明する。図６及び図７に示す第３の実施の形態は、乗りかご１の正面側板１ｂに設けられた取付穴１１を、配線口１９を有するふさぎ板１７を用いて覆ったものであり、他は図１乃至図４に示す第１の実施の形態と略同一である。なお、ふさぎ板１７はタッピングビス１０ｃにより乗りかご１の正面側板１ｂに固定されている。
【００３７】
図６及び図７に示す第３の実施の形態において、図１乃至図４に示す第１の実施の形態と同一部分には同一符号を付して詳細な説明は省略する。
【００３８】
図６及び図７に示すように、操作パネル７を設置させていた取付穴１１を配線口１９を有するふさぎ板１７により覆うことによって、乗りかご１の側面側板１ａ及び乗りかご１の正面側板１ｂと操作パネル７の裏面との間に形成される空間から乗りかご１の床面に設けられた配線通し穴５を隔離することができる。このため、配線通し穴５から出てくる埃や小さなゴミ等によって、乗りかご１の側面側板１ａ及び乗りかご１の正面側板１ｂと操作パネル７の裏面との間に形成される空間が汚されることを防ぐことができる。
【００３９】
第４の実施の形態
次に図８乃至図１０により本発明の第４の実施の形態について説明する。図９において、エレベータの乗りかご１の隣り合う２側面が示されており、このうち一方の側面は側面側板１ａとなり、他方の側面は正面側板１ｂと、この正面側板１ｂに連結された出入口柱２とを有している。
【００４０】
乗りかご１の隣り合う２側面のうち正面側板１ｂには、各々に複数の係合段部２１が設けられた２側縁を有する取付穴２０の形成されている。この正面側板１ｂは乗りかご１の隣り合う２側面からなる隅部近傍に配置され、後述のように操作パネル７を保持する係合板として機能する。
【００４１】
操作盤は、正面側板（係合板）１ｂの取付穴２０の係合段部２１と係合突起２３によって係合する一対のブラケット２２ａ、２２ｂと、一対のブラケット２２ａ、２２ｂに固定された操作パネル７と、操作パネル７の側面に固定される第一の操作パネル側板２５ａ及び第二の操作パネル側板２５ｂからなる一対の操作パネル側板２５とを備えている。
【００４２】
ここで、一対のブラケット２２ａ、２２ｂは、第一のブラケット２２ａと第二のブラケット２２ｂからなっており、このうち第一のブラケット２２ａの高さは第二のブラケット２２ｂの高さより高くなっている。このことにより、操作パネル７は、乗りかご１の側面側板１ａ及び正面側板１ｂの各々に対して傾斜する構成をとっている。なお、操作パネル７は配線６に接続されており、この配線６は配線通し穴５を通って電源等（図示せず）に接続されている。
【００４３】
なお、本実施の形態において、正面側板１ｂを係合板として機能させている例を示したが、これに限らず、正面側板１ｂの前面であって乗りかご１の隣り合う２側面からなる隅部近傍位置に、正面側板１ｂと別体に係合板を設けてもよい。
【００４４】
次に、このような構成からなる本実施の形態の作用について述べる。
【００４５】
本実施の形態の操作盤をエレベータの乗りかご１の正面側板１ｂに設置する方法を図８乃至１０を用いて説明する。まず、図９に示すように、両側面に第一の操作パネル側板２５ａ及び第二の操作パネル側板２５ｂが固定されると共に、裏面に第一のブラケット２２ａ及び第二のブラケット２２ｂが固定された操作パネル７を準備する。次に、操作パネル７に固定された第一のブラケット２２ａ及び第二のブラケット２２ｂに設けられた係合突起２３を、乗りかご１の正面側板１ｂに設けられた係合段部２１に係合させることにより、操作盤を乗りかご１の正面側板１ｂに設置する。
【００４６】
ここで、第一の操作パネル側板２５ａ及び第二の操作パネル側板２５ｂは各々、乗りかご１の側面側板１ａ及び正面側板１ｂと当接するように構成されている。このため、操作盤をより安定させた状態で乗りかご１に固定させることができる。
【００４７】
上記方法によって乗りかご１の正面側板１ｂに設置される操作盤において、図８乃至図１０に示すように、乗りかご１の正面側板１ｂに配置されている第一のブラケット２２ａ及び第二のブラケット２２ｂの各々の高さを調整することにより、第一の操作パネル側板２５ａが乗りかご１の側面側板１ａに接する箇所から第二の操作パネル側板２５ｂが乗りかご１の正面側板１ｂに接する箇所までの距離ｄ２を、自由に変えることができる。このため、操作パネル７を装着して固定する第一の操作パネル側板２５ａと第二の操作パネル側板２５ｂとの間の距離Ｄ２を自由に変えることができる。
【００４８】
さらに、図９に示すように、操作パネル７に固定される第一の操作パネル側板２５ａ及び第二の操作パネル側板２５ｂを適宜選定することによって、第一の操作パネル側板２５ａ及び第二の操作パネル側板２５ｂの幅を自由に変えることができる。従って、このことによっても、第一の操作パネル側板２５ａと第二の操作パネル側板２５ｂとの間の距離Ｄ２を自由に変えることができる。
【００４９】
以上のように、本実施の形態によれば、操作パネル７を装着して固定する第一の操作パネル側板２５ａと第二の操作パネル側板２５ｂとの間の距離Ｄ２を自由に変えることができる。このため、既設の操作パネル７の幅と異なる幅を有する操作パネル７を新たに設置する場合であっても、正面側板１ｂを取り替えることなく操作パネル７を取り替えることができる。
【００５０】
また、図８乃至図１０に示すように、操作パネル７に固定されている第一のブラケット２２ａ及び第二のブラケット２２ｂに設けられている係合突起２３が、対応する正面側板１ｂの取付穴２０の係合段部２１に係合されることにより、操作盤が乗りかご１に固定される。このため、操作パネル７に設けられた第一のブラケット２２ａと第二のブラケット２２ｂを正面側板１ｂの取付穴２０から係合したり外したりするだけで操作盤を正面側板１ｂに対して容易に脱着することができる。なお、操作パネル７を取り外す際には、吸盤又は磁石を用いて操作パネル７を吸着して引っ張るだけで操作パネル７を容易に取り外すことができる。また、操作パネル７には突起部が設けられていないので、いたずらにより突起部を用いて操作パネル７が取り外されることはない。
【００５１】
また、図９に示すように、操作パネル７が乗りかご１の側面側板１ａと乗りかご１の正面側板１ｂの各々に対して傾斜して設けられているので、乗りかご１内の様々な位置に乗っている利用者にとって操作パネルを見やすくすることができると共に、操作パネルを操作しやすくすることができる。
【００５２】
また、図９に示すように、操作パネル７は、第一のブラケット２２ａ及び第二のブラケット２２ｂを介して乗りかご１の正面側板１ｂに設置されている。このため、第一のブラケット２２ａの乗りかご１の側面側板１ａに対する折れ曲がり角度γ及び第二のブラケット２２ｂの乗りかご１の側面側板１ａに対する折れ曲がり角度σを調整するだけで、乗りかご１の側面側板１ａと乗りかご１の正面側板１ｂの各々に対する操作パネル７の設置角度を変えることができる。このため、操作パネル７の乗りかご１の側面側板１ｂ及び正面側板１ａに対する傾きを容易に変えることができる。
【００５３】
なお、乗りかご１の側面側板１ａ及び乗りかご１の正面側板１ｂと操作パネル７の裏面との間に形成された空間内に収納容器を設置してもよい。このことにより、操作パネル７を乗りかご１の側面側板１ａと乗りかご１の正面側板１ｂの各々に対して傾斜させたことによって発生する空間を、操作パネル７の基板や操作パネル７に接続する配線６を収納する空間として有効に利用することができる。
【００５４】
なお、操作パネル７には、乗りかご１の床面から天井面に至るまでの高さを有するフルハイトタイプを用いることが好ましい。このことにより、既設の操作パネル７の高さと新設する操作パネル７の高さの差異を考慮する必要がなくなる。このため、操作パネル７をより容易に取り替えることができる。
【図面の簡単な説明】
【００５５】
【図１】本発明による操作盤の第１の実施の形態を示す平面図。
【図２】本発明による操作盤の第１の実施の形態を示す正面図。
【図３】本発明による操作盤の第１の実施の形態におけるブラケットを示す構成図。
【図４】本発明による操作盤の第１の実施の形態における固定用ピンと固定用クリップの関係を示す構成図。
【図５】本発明による操作盤の第２の実施の形態を示す平面図。
【図６】本発明による操作盤の第３の実施の形態を示す平面図。
【図７】本発明による操作盤の第３の実施の形態を示す正面図。
【図８】本発明による操作盤の第４の実施の形態における取付穴を示す構成図。
【図９】本発明による操作盤の第４の実施の形態を示す平面図。
【図１０】本発明による操作盤の第４の実施の形態におけるブラケットを示す構成図。
【図１１】従来の操作盤の実施の形態を示す平面図。
【図１２】従来の操作盤の実施の形態を示す正面図。
【符号の説明】
【００５６】
１    乗りかご
１ａ    側面側板
１ｂ    正面側板
２    出入口柱
５    配線通し穴
６    配線
７    操作パネル
８ａ    第一の操作パネル側板
８ｂ    第二の操作パネル側板
９ａ    第一のブラケット
９ｂ    第二のブラケット
１０ａ    ボルト
１０ｂ    スタッドボルト
１０ｃ    タッピングビス
１１    取付穴
１２    穴
１３    ナット
１５    固定用クリップ
１６    固定用ピン
１７    ふさぎ板
１９    配線口
２０    取付穴
２１    係合段部
２２ａ    第一のブラケット
２２ｂ    第二のブラケット
２３    係合突起
２５    一対の操作パネル側板
２５ａ    第一の操作パネル側板
２５ｂ    第二の操作パネル側板
【図１】
2007062902.tif 000003
【図２】
2007062902.tif 000004
【図３】
2007062902.tif 000005
【図４】
2007062902.tif 000006
【図５】
2007062902.tif 000007
【図６】
2007062902.tif 000008
【図７】
2007062902.tif 000009
【図８】
2007062902.tif 000010
【図９】
2007062902.tif 000011
【図１０】
2007062902.tif 000012
【図１１】
2007062902.tif 000013
【図１２】
2007062902.tif 000014